(57)【特許請求の範囲】
【請求項１】
撮像装置から画像を取得する外部の情報処理装置が近傍に存在することを検出する検出手段と、
前記撮像装置が有する１以上の画像の中に、前記外部の情報処理装置が未取得の画像が存在するか否かを判定する判定手段と、
前記未取得の画像が存在する場合、前記外部の情報処理装置が近傍に存在することの検出に応えて、ユーザに対する通知を行う通知手段と、
を備え、
前記判定手段は、前記１以上の画像の識別子と、前記外部の情報処理装置が前記撮像装置から取得した画像の識別子とを比較することにより、前記未取得の画像が存在するか否かを判定する
ことを特徴とする情報処理装置。
【請求項２】
前記検出手段は、所定の無線ＬＡＮアクセスポイントを検出したことに基づき、前記外部の情報処理装置が近傍に存在することを検出する
ことを特徴とする請求項１に記載の情報処理装置。
【請求項３】
ユーザ指示に従い無線ＬＡＮアクセスポイントを登録する第１の登録手段を更に備え、
前記所定の無線ＬＡＮアクセスポイントは、前記第１の登録手段により登録された無線ＬＡＮアクセスポイントである
ことを特徴とする請求項２に記載の情報処理装置。
【請求項４】
前記第１の登録手段は、前記情報処理装置が無線ＬＡＮアクセスポイントに接続したことに応えて、当該接続に係る無線ＬＡＮアクセスポイントを登録するか否かをユーザに問い合わせる
ことを特徴とする請求項３に記載の情報処理装置。
【請求項５】
前記撮像装置又は前記外部の情報処理装置は、前記外部の情報処理装置が前記撮像装置から画像を取得する際に使用された無線ＬＡＮアクセスポイントの識別情報をサーバへ送信し、
前記検出手段は、前記サーバから前記識別情報を受信し、当該識別情報に対応する無線ＬＡＮアクセスポイントを検出したことに基づき、前記外部の情報処理装置が近傍に存在することを検出する
ことを特徴とする請求項１乃至４のいずれか１項に記載の情報処理装置。
【請求項６】
前記外部の情報処理装置との接続を確立する確立手段を更に備え、
前記検出手段は、前記確立手段が前記外部の情報処理装置との接続を確立したことに基づき、前記外部の情報処理装置が近傍に存在することを検出する
ことを特徴とする請求項１乃至５のいずれか１項に記載の情報処理装置。
【請求項７】
ユーザ指示に従い所定の情報処理装置を登録する第２の登録手段を更に備え、
前記外部の情報処理装置は、前記第２の登録手段により登録された前記所定の情報処理装置である
ことを特徴とする請求項６に記載の情報処理装置。
【請求項８】
前記外部の情報処理装置は、前記外部の情報処理装置が前記撮像装置から取得した画像の識別子をサーバへ送信し、
前記判定手段は、前記外部の情報処理装置が前記撮像装置から取得した画像の識別子を前記サーバから受信する
ことを特徴とする請求項１に記載の情報処理装置。
【請求項９】
前記判定手段は、前記１以上の画像の識別子を前記撮像装置から受信する
ことを特徴とする請求項１又は８に記載の情報処理装置。
【請求項１０】
情報処理装置の制御方法であって、
撮像装置から画像を取得する外部の情報処理装置が近傍に存在することを検出する検出工程と、
前記撮像装置が有する１以上の画像の中に、前記外部の情報処理装置が未取得の画像が存在するか否かを判定する判定工程と、
前記未取得の画像が存在する場合、前記外部の情報処理装置が近傍に存在することの検出に応えて、ユーザに対する通知を行う通知工程と、
を備え、
前記判定工程では、前記１以上の画像の識別子と、前記外部の情報処理装置が前記撮像装置から取得した画像の識別子とを比較することにより、前記未取得の画像が存在するか否かを判定する
ことを特徴とする制御方法。
【請求項１１】
コンピュータを、請求項１乃至９のいずれか１項に記載の情報処理装置の各手段として機能させるためのプログラム。
【発明の詳細な説明】
【技術分野】
【０００１】
本発明は、情報処理装置、その制御方法、及びプログラムに関する。
【背景技術】
【０００２】
撮像装置の撮像画像をパーソナルコンピュータ（ＰＣ）等の情報処理装置に送信して管理するということが広く行われている。例えば、ユーザは帰宅後に撮像装置を自宅のＰＣに接続し、外出先で撮影した画像を撮像装置からＰＣへ送信する。
【０００３】
また、所定の対象に関する対象識別情報を事前に登録しておき、周辺で対象識別情報を検出した場合にユーザに対して通知を行う情報端末装置が知られている（特許文献１参照）。
【先行技術文献】
【特許文献】
【０００４】
【特許文献１】特開２００８−５２３３２号公報
【発明の概要】
【発明が解決しようとする課題】
【０００５】
撮像画像を撮像装置からＰＣへ送信する上記のシステムを使用する場合、ユーザが帰宅時に撮像画像を送信することを忘れてしまう可能性がある。特許文献１の「所定の対象」を自宅のＰＣとすれば、ユーザがＰＣに近づいた際にユーザに対して通知を行うことができるが、ユーザが外出先で写真撮影を行わずに帰宅した場合にも通知が行われてしまい、煩わしい。
【０００６】
本発明はこのような状況に鑑みてなされたものであり、不要な通知の発生を抑制しつつ、ユーザに対して通知を行う技術を提供することを特徴とする。
【課題を解決するための手段】
【０００７】
上記課題を解決するために、本発明は、撮像装置から画像を取得する外部の情報処理装置が近傍に存在することを検出する検出手段と、前記撮像装置が有する１以上の画像の中に、前記外部の情報処理装置が未取得の画像が存在するか否かを判定する判定手段と、前記未取得の画像が存在する場合、前記外部の情報処理装置が近傍に存在することの検出に応えて、ユーザに対する通知を行う通知手段と、を備え、前記判定手段は、前記１以上の画像の識別子と、前記外部の情報処理装置が前記撮像装置から取得した画像の識別子とを比較することにより、前記未取得の画像が存在するか否かを判定することを特徴とする情報処理装置を提供する。
【０００８】
なお、その他の本発明の特徴は、添付図面及び以下の発明を実施するための形態における記載によって更に明らかになるものである。
【発明の効果】
【０００９】
本発明によれば、不要な通知の発生を抑制しつつ、ユーザに対して通知を行うことが可能となる。
【図面の簡単な説明】
【００１０】
【図１】情報通知システム１００の構成を示す図。
【図２】デジタルカメラ１０１の機能ブロック図。
【図３】サーバ１０３及びＰＣ１０４の機能ブロック図。
【図４】タブレット１０２の機能ブロック図。
【図５】デジタルカメラ１０１、タブレット１０２、及びサーバ１０３が保持する識別子を説明する図。
【図６】第１及び第２の実施形態に係る通知処理の流れを示すフローチャート。
【図７】第３の実施形態に係る通知処理の流れを示すフローチャート。
【発明を実施するための形態】
【００１１】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１２】
［第１の実施形態］
図１は、情報通知システム１００の構成を示す図である。情報通知システム１００は、デジタルカメラ１０１と、タブレット１０２と、サーバ１０３と、ＰＣ１０４（パーソナルコンピュータ）と、を含む。タブレット１０２及びＰＣ１０４は、ネットワーク１０５を通じてサーバ１０３と通信可能である。
【００１３】
デジタルカメラ１０１は、撮像装置の一例である。ＰＣ１０４は、撮像画像の送信先となる情報処理装置の一例である。タブレット１０２は、デジタルカメラ１０１からＰＣ１０４へ撮像画像を送信可能になったことをユーザに通知する情報処理装置の一例である。他の例として、タブレット１０２の代わりにスマートフォンを用いてもよい。
【００１４】
本実施形態のデジタルカメラ１０１は、撮像画像の生成時に、撮像画像から副画像を生成する。副画像は、撮像画像に対して、圧縮率、画像の幅と高さ、ビット深度等を削減してデータ量を抑えた画像であり、撮像画像の代理データとして表示可能である。また、副画像は、付属情報として撮像画像の識別子を保持している。即ち、識別子によって、撮像画像と副画像は相互に関連付けられている。また、本実施形態において、撮像画像は、現像処理が完了していない状態のＲＡＷデータを含むＲＡＷファイルである。副画像は、撮像画像に比べてデータ量が小さくなるような処理をＲＡＷデータに対して実行して生成されたものである。なお、副画像は現像処理やＪＰＥＧなどの所定の形式への圧縮処理が行われた現像済データを含む現像済画像ファイルであってもよい。撮像画像は副画像に比べてデータ量が非常に大きい。また、ＰＣ１０４はタブレット１０２に比べて処理能力やデータ記憶容量が大きく、撮像画像の現像処理を実行して現像結果を表示することが可能である。
【００１５】
本実施形態の情報通知システム１００では、デジタルカメラ１０１は、タブレット１０２へ撮像画像の副画像を送信する。これにより、ユーザは、撮影後すぐにタブレット１０２を用いて副画像を表示させ、閲覧することができる。また、タブレット１０２において、副画像を表示させ、ユーザの操作に応答して、明るさ、ホワイトバランス、色の階調、色の濃さ、シャープネス、ノイズリダクション、色空間など、画像調整のための調整値を設定することが可能である。タブレット１０２は、直接、又はサーバ１０３を介して、ＰＣ１０４へ調整値と識別子を送信することが可能である。
【００１６】
ＰＣ１０４は、デジタルカメラ１０１との通信により撮像画像を取得し、現像処理及び画像調整を実行し、現像結果を得ることができる。この際、ＰＣ１０４は、タブレット１０２から取得した調整値を用いて画像調整を行うこともできる。ＰＣ１０４は、調整値を、撮像画像の受信より前に取得してもよいし、後に取得してもよい。
【００１７】
デジタルカメラ１０１からＰＣ１０４への撮像画像の送信状況は、ＰＣ１０４からネットワークを介してサーバ１０３に送信され管理される。この送信状況は、タブレット１０２から参照される。
【００１８】
図２は、デジタルカメラ１０１の機能ブロック図である。デジタルカメラ１０１は、通信部２０１、二次記憶装置２０２、制御部２０３、操作部２０４、信号処理装置２０５、表示部２０６、光学ユニット２０７、ＲＯＭ２０８（読み出し専用メモリ）、一次記憶装置２０９、及び外部記憶媒体２１０を含む。
【００１９】
本実施形態のデジタルカメラ１０１は、生成された撮像画像を外部記憶媒体２１０に保存すると共に、撮像画像から生成された副画像も外部記憶媒体２１０に保存する。この副画像は、付属情報として撮像画像の識別子を保持する。
【００２０】
図３は、サーバ１０３及びＰＣ１０４の機能ブロック図である。図３において、制御部３０１は、装置（サーバ１０３又はＰＣ１０４）全体を制御する制御部であり、例えば中央処理装置（ＣＰＵ）である。ＲＯＭ３０２は、変更を必要としないプログラムやパラメータなどを格納する。ＲＡＭ３０３は、外部装置などから供給されるプログラムやデータなどを一時記憶する。外部記憶装置３０４は、装置（サーバ１０３又はＰＣ１０４）に固定して設置されたハードディスクやメモリカードなどを含む。或いは、外部記憶装置３０４は、装置（サーバ１０３又はＰＣ１０４）から着脱可能な、フロッピー（登録商標）ディスク（ＦＤ）、コンパクトディスク（ＣＤ）等の光ディスク、磁気カード、光カード、ＩＣカードなどを含んでもよい。操作入力ＩＦ３０５は、ユーザの操作を受けてデータを入力するポインティングデバイス３０９ａやキーボード３０９ｂなどの入力デバイスとのインタフェースである。表示ＩＦ３０６は、装置（サーバ１０３又はＰＣ１０４）の保持するデータや供給されたデータを表示するためのディスプレイ３１０とのインタフェースである。ネットワークＩＦ３０７は、インターネットなどのネットワーク回線３１１に接続するためのインタフェースである。デバイスＩＦ３０８は、デジタルカメラなどの外部のデバイス３１２と通信するためのインタフェースである。システムバス３１３は、符号３０１〜３０８で示す各ユニットを通信可能に接続する。
【００２１】
図４は、タブレット１０２の機能ブロック図である。図４において、符号４０１〜４０８及び４１０〜４１３で示す各ユニットは、図３の符号３０１〜３０８及び３１０〜３１３で示す各ユニットと同一又は同様の機能を有する。操作入力ＩＦ４０５は、図３の操作入力ＩＦ３０５と同様の機能を有するが、入力デバイスとして、ポインティングデバイス３０９ａ及びキーボード３０９ｂの代わりにタッチスクリーン４０９が接続されている。
【００２２】
図５は、デジタルカメラ１０１、タブレット１０２、及びサーバ１０３が保持する識別子を説明する図である。図５において、撮像画像群５０１は、デジタルカメラ１０１が外部記憶媒体２１０に記憶する撮像画像を示す。図５の例では、５つの撮像画像１〜５が外部記憶媒体２１０に記憶されており、各撮像画像には識別子Ａ〜Ｅが付加されている。副画像群５０２は、タブレット１０２が外部記憶装置４０４に記憶する副画像を示す。前述の通り、デジタルカメラ１０１はタブレット１０２へ撮像画像の副画像を送信し、副画像は撮像画像の識別子を保持するので、副画像１〜５には、撮像画像１〜５に対応する識別子Ａ〜Ｅが付加されている。
【００２３】
管理情報５０３は、サーバ１０３が管理する、デジタルカメラ１０１からＰＣ１０４への撮像画像の送信状況を示す。ＰＣ１０４は、デジタルカメラ１０１から撮像画像を受信したことを検知して、この撮像画像の識別子をサーバ１０３に送信する。そして、サーバ１０３は、ＰＣ１０４から受信した識別子を、管理情報５０３として記憶する。このように、デジタルカメラ１０１からＰＣ１０４へ送信され記憶された撮像画像の識別子は、サーバ１０３において管理情報５０３として管理される。
【００２４】
図６は、第１の実施形態に係る通知処理の流れを示すフローチャートである。本フローチャートの各ステップの処理は、特に断らない限り、タブレット１０２の制御部４０１がプログラムに従ってタブレット１０２の各部を制御することにより実現される。タブレット１０２がデジタルカメラ１０１から副画像を受信すると、本フローチャートの処理が開始する。
【００２５】
Ｓ６０１で、制御部４０１は、タブレット１０２の通信状況が変化するまで待機する。タブレット１０２の通信状況が変化すると、処理はＳ６０２に進む。本実施形態における通信状況の変化は、タブレット１０２が無線ＬＡＮアクセスポイント（以下、単に「アクセスポイント」と呼ぶ）に接続されたことや、接続先のアクセスポイントが切り替わったことなどを含む。
【００２６】
Ｓ６０２で、制御部４０１は、タブレット１０２がアクセスポイントに接続されたか否かを判定する。タブレット１０２がアクセスポイントに接続された場合、処理はＳ６０３に進む。そうでない場合（即ち、Ｓ６０１における通信状況の変化が、アクセスポイントへの接続を伴わないものであった場合）、処理はＳ６０１に戻る。
【００２７】
Ｓ６０３で、制御部４０１は、タブレット１０２が接続されたアクセスポイントが、通知対象の（即ち、通知を引き起こす）所定のアクセスポイントであるか否かを判定する。通知対象のアクセスポイントである場合、処理はＳ６０４に進み、そうでない場合、処理はＳ６０１に戻る。
【００２８】
ここで、通知対象のアクセスポイントについて詳しく説明する。ユーザは、タブレット１０２のタッチスクリーン４０９を用いて、タブレットに対してアクセスポイントの登録を指示することができる。その際に、ユーザは、現在接続中のアクセスポイントを登録対象とする指示を入力したり、登録対象のアクセスポイントの識別情報（例えば、ＭＡＣアドレス）を入力したりすることができる。ユーザ指示に応えて、制御部４０１は、登録対象のアクセスポイントの識別情報をＲＯＭ４０２に登録する。こうして登録された識別情報に対応するアクセスポイントが、通知対象のアクセスポイントとして扱われる。通常、ユーザは、ＰＣ１０４の近傍に存在するアクセスポイントを登録する。その結果、Ｓ６０１〜Ｓ６０３の処理は、ＰＣ１０４が近傍に存在することを検出する役割を果たす。即ち、ＰＣ１０４が近傍に存在する場合に、Ｓ６０４以降の処理が実行される。
【００２９】
なお、タブレット１０２が接続されたアクセスポイントが通知対象でないとＳ６０３において判定された場合、制御部４０１は、このアクセスポイントを通知対象として登録するか否かをユーザに問い合わせてもよい。ユーザが登録する旨を指示した場合、制御部４０１は、このアクセスポイントの識別情報を新たにＲＯＭ４０２に登録する。これにより、ユーザが新たなアクセスポイントを自宅に設置した場合などに、容易にアクセスポイントの登録を行うことができる。
【００３０】
また、デジタルカメラ１０１又はＰＣ１０４は、デジタルカメラ１０１からＰＣ１０４への画像送信の際に使用されたアクセスポイントの識別情報を、サーバ１０３へ送信してサーバ１０３に記憶してもよい。この場合、タブレット１０２は、サーバ１０３からアクセスポイントの識別情報を受信し、この識別情報に対応するアクセスポイントを通知対象のアクセスポイントとして扱うことができる。この場合、タブレット１０２は、必ずしも通知対象のアクセスポイントを登録する必要は無い。例えば、登録を行う代わりに、タブレット１０２は、Ｓ６０３の処理のタイミングでサーバ１０３からアクセスポイントの識別情報を受信してもよい。
【００３１】
また、タブレット１０２が通知対象のアクセスポイントに接続することは必須ではなく、制御部４０１は、通知対象のアクセスポイントを検出した場合に、処理をＳ６０１からＳ６０２を省略してＳ６０３へ進めてもよい。この場合、制御部４０１は、通知対象のアクセスポイントを検出した場合、検出されたアクセスポイントにタブレット１０２が接続されたか否かに関わらず、Ｓ６０４以降の処理を行うことができる。
【００３２】
Ｓ６０４で、制御部４０１は、ネットワーク１０５を介してサーバ１０３から管理情報（図５の管理情報５０３参照）を取得する。Ｓ６０５で、制御部４０１は、通知を行う必要があるか否かを判定する。具体的には、制御部４０１は、Ｓ６０４で取得した管理情報と、事前にデジタルカメラ１０１から受信した副画像の識別子（図５の副画像群５０２参照）とを比較する。この比較により、制御部４０１は、デジタルカメラ１０１からＰＣ１０４へ送信されていない（即ち、ＰＣ１０４が未取得の）撮像画像が存在するか否かを判定する。図５の例の場合、制御部４０１は、ＰＣ１０４が未取得の撮像画像として、識別子Ｄ及びＥに対応する撮像画像が存在すると判断する。ＰＣ１０４が未取得の撮像画像が存在する場合、制御部４０１は、通知が必要であると判断し、処理をＳ６０６に進める。そうでない場合、本フローチャートの処理は終了する。ＰＣ１０４が未取得の撮像画像が存在しない場合はユーザに対する通知が行われないので、不要な通知の発生が抑制される。
【００３３】
Ｓ６０６で、制御部４０１は、ユーザに対する通知を行う。この通知は、ユーザに対して、デジタルカメラ１０１からＰＣ１０４への撮像画像の送信を促すものである。Ｓ６０７で、制御部４０１は、操作入力ＩＦ４０５を介して、ユーザから再通知の要・不要の指示入力を受信する。
【００３４】
Ｓ６０８で、制御部４０１は、Ｓ６０７で受信した指示入力に従い、再通知が必要であるか否かを判定する。再通知が必要な場合、処理はＳ６０１に戻り、再通知が不要な場合、本フローチャートの処理は終了する。
【００３５】
以上説明したように、第１の実施形態によれば、タブレット１０２は、外部の情報処理装置であるＰＣ１０４がデジタルカメラ１０１から未取得の撮像画像が存在する場合、ＰＣ１０４が近傍に存在することを検出すると、ユーザに対する通知を行う。これにより、不要な通知の発生を抑制しつつ、ユーザに対して通知を行い、ユーザが撮像画像をデジタルカメラ１０１からＰＣ１０４へ送信し忘れることを抑制することができる。また、本実施形態によれば、タブレット１０２は、デジタルカメラ１０１による撮像画像の生成時に副画像を受信し、サーバ１０３から管理情報を受信する。従って、タブレット１０２の通信状況が変化したタイミング（図６のＳ６０１）においてデジタルカメラ１０１及びＰＣ１０４の電源がＯＦＦであっても、タブレット１０２はユーザに対する通知の要否を判断する（図６のＳ６０５）ことができる。
【００３６】
なお、本実施形態では、デジタルカメラ１０１は撮像画像の生成時に副画像を生成するものとした。しかしながら、デジタルカメラ１０１が副画像を生成するタイミングは、タブレット１０２へ副画像を送信する以前であればいつの時点であってもよい。
【００３７】
また、本実施形態では、副画像内に撮像画像の識別子を保持することで撮像画像と副画像との関連性を示す構成について説明したが、撮像画像と副画像との関連性を示すことができれば、他の構成を採用してもよい。例えば、デジタルカメラ１０１は、撮像画像と副画像とを関連付ける情報を生成し、この情報をタブレット１０２及びＰＣ１０４へ送信してもよい。
【００３８】
［第２の実施形態］
第１の実施形態では、デジタルカメラ１０１がタブレット１０２へ副画像を送信する構成について説明したが、第２の実施形態では、副画像の生成及び送信が行われない構成について説明する。第２の実施形態の基本的な構成は、特に断らない限り、第１の実施形態と同様である。以下、主に第１の実施形態と異なる点について説明する。
【００３９】
本実施形態では、図６の通知処理の開始条件が、第１の実施形態と異なる。タブレット１０２は、ユーザからの指示に従い、図６のフローチャートの処理を開始する。或いは、タブレット１０２は、電源ＯＮ時に自動的に本フローチャートの処理を開始してもよい。
【００４０】
また、本実施形態では、図６のＳ６０４及びＳ６０５の処理が、第１の実施形態と異なる。Ｓ６０４で、制御部４０１は、ネットワーク１０５を介してサーバ１０３から管理情報（図５の管理情報５０３参照）を受信し、更に、デジタルカメラ１０１から撮像画像の識別子（図５の撮像画像群５０１参照）を受信する。次に、Ｓ６０５で、制御部４０１は、Ｓ６０４で取得した、管理情報と撮像画像の識別子との比較により、通知を行う必要があるか否かを判定する。
【００４１】
以上の構成により、第２の実施形態によれば、デジタルカメラ１０１が副画像の生成及び送信を行わなくても、タブレット１０２はユーザに対する通知の要否を判断することができる。
【００４２】
なお、本実施形態では、タブレット１０２はサーバ１０３から管理情報を取得するものとした。しかしながら、デジタルカメラ１０１が、ＰＣ１０４へ送信した撮像画像を管理情報として記憶し、タブレット１０２はデジタルカメラ１０１から管理情報を受信してもよい。この場合、情報通知システム１００からサーバ１０３を省略することができる。
【００４３】
また、タブレット１０２の制御部４０１は、Ｓ６０５において通知が不要と判断した場合に、処理を終了する代わりに、処理をＳ６０１に戻してもよい。
【００４４】
［第３の実施形態］
第１の実施形態では、タブレット１０２が、通知対象の所定のアクセスポイントに接続されたことに基づいてＰＣ１０４が近傍に存在することを検出する構成について説明した。一方、第３の実施形態では、ＰＣ１０４が近傍に存在することを検出するための他の構成について説明する。第３の実施形態の基本的な構成は、特に断らない限り、第１の実施形態と同様である。以下、主に第１の実施形態と異なる点について説明する。
【００４５】
図７は、第３の実施形態に係る通知処理の流れを示すフローチャートである。図７において、図６と同一又は同様の処理が行われるステップには図６と同一の符号を付す。本フローチャートの各ステップの処理は、特に断らない限り、タブレット１０２の制御部４０１がプログラムに従ってタブレット１０２の各部を制御することにより実現される。タブレット１０２がデジタルカメラ１０１から副画像を受信すると、本フローチャートの処理が開始する。
【００４６】
Ｓ７０１で、制御部４０１は、タブレット１０２の通信状況が変化するまで待機する。タブレット１０２の通信状況が変化すると、処理はＳ７０２に進む。本実施形態における通信状況の変化は、タブレット１０２と外部の情報処理装置との機器間接続に関する状況が変化したことを含む。
【００４７】
Ｓ７０２で、制御部４０１は、タブレット１０２が外部の情報処理装置に接続されたか否かを判定する。タブレット１０２が外部の情報処理装置に接続された場合、処理はＳ７０３に進む。そうでない場合（即ち、Ｓ７０１における通信状況の変化が、外部の情報処理装置への接続を伴わないものであった場合）、処理はＳ７０１に戻る。
【００４８】
なお、タブレット１０２と外部の情報処理装置との接続は、任意の技術を用いて行うことができる。一例として、タブレット１０２と外部の情報処理装置とがＢＬＥ（Ｂｌｕｅｔｏｏｔｈ（登録商標）  Ｌｏｗ  Ｅｎｅｒｇｙ）に対応している場合、ＢＬＥを用いて接続を確立することができる。
【００４９】
Ｓ７０３で、制御部４０１は、タブレット１０２が接続された外部の情報処理装置が、通知対象の（即ち、通知を引き起こす）所定の情報処理装置（ここでは、ＰＣ１０４とする）であるかを判定する。タブレット１０２がＰＣ１０４に接続された場合、処理はＳ６０４に進み、そうでない場合、処理はＳ７０１に戻る。
【００５０】
なお、制御部４０１は、第１の実施形態における通知対象のアクセスポイントの登録と同様のやり方で、通知対象の情報処理装置を登録することができる。
【００５１】
以上の構成により、第３の実施形態によれば、アクセスポイントが存在しない場合でも、タブレット１０２はＰＣ１０４が近傍に存在することを検出することができる。
【００５２】
なお、本実施形態では、図７のＳ６０４において図６のＳ６０４と同様の処理が行われるので、第１の実施形態と同様、タブレット１０２はサーバ１０３から管理情報を取得する。しかしながら、ＰＣ１０４が、デジタルカメラ１０１から取得した撮像画像を管理情報として記憶し、タブレット１０２はＰＣ１０４から管理情報を受信してもよい。この場合、情報通知システム１００からサーバ１０３を省略することができる。
【００５３】
また、本実施形態では、タブレット１０２が通知を行うものとした。しかしながら、ＰＣ１０４がタブレット１０２から副画像群５０２の識別子を取得し、取得した識別子とＰＣ１０４が管理する管理情報とに基づいてＰＣ１０４が通知を行ってもよい。
【００５４】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５５】
１０１…デジタルカメラ、１０２…タブレット、１０３…サーバ、１０４…ＰＣ、１０５…ネットワーク、４０１…制御部、４０２…ＲＯＭ、４０３…ＲＡＭ、４０４…外部記憶装置、４０７…ネットワークＩＦ
【図１】
0006609155.tif 000002
【図２】
0006609155.tif 000003
【図３】
0006609155.tif 000004
【図４】
0006609155.tif 000005
【図５】
0006609155.tif 000006
【図６】
0006609155.tif 000007
【図７】
0006609155.tif 000008